(57)【要約】【課題】  装飾や看板、玩具、文具等として好適な任意の文字や図形を使用者が容易に発光させることができる安価な電界発光灯及びその製造方法を提供する。  【解決手段】  基材フィルム１上に分割された裏面電極２ａ、２ｂを形成する。その上に、反射絶縁層３、発光層４を順次、印刷形成する。次に、発光層４の上に無色透明な導電性インクやイオン導電性溶媒を含有したペンで、発光させたい部分よりも広めに描いて透明電極５を形成する。次に、透明フィルム６ａと粘着層６ｂからなる積層フィルム６を任意形状に切り取り、粘着層６ｂを下側にして透明電極５上に貼り付ける。その後、積層フィルム６から食み出した透明電極５を、水や有機溶剤を染み込ませたウエス等で拭き取ることにより、電界発光灯１０を得る。【選択図】  図２
2005032624.tif 000002
【特許請求の範囲】
【請求項１】
基材フィルム上に少なくとも２つ以上に分割形成された裏面電極と、前記裏面電極上に積層形成された反射絶縁層、発光層と、前記発光層上に形成された金属フィラーや導電ポリマーを含む導電性インクまたはイオン導電性溶媒からなる透明電極と、前記透明電極上に形成された透明フィルムと粘着層からなる積層フィルムとを備えることを特徴とする電界発光灯。
【請求項２】
基材フィルム上に裏面電極を分割形成する工程と、前記裏面電極上に反射絶縁層、発光層を順次形成する工程と、前記発光層の上に金属フィラーや導電ポリマーを含む導電性インクやイオン導電性溶媒からなる透明電極をハケやペンで塗布する工程と、前記透明電極上に透明フィルムと粘着層からなる積層フィルムを貼り付ける工程と、前記積層フィルムの上から食み出した透明電極を除去する工程とを具備することを特徴とする電界発光灯の製造方法。
【請求項３】
基材フィルム上に裏面電極を分割形成する工程と、前記裏面電極上に反射絶縁層、発光層を順次形成する工程と、透明フィルムと粘着層からなる積層フィルムの粘着層上に金属フィラーや導電ポリマーを含む導電性インクやイオン導電性溶媒からなる透明電極をハケやペンで塗布する工程と、前記積層フィルムを透明電極を介して前記発光層上に貼り付ける工程とを具備することを特徴とする電界発光灯の製造方法。
【発明の詳細な説明】
【技術分野】
【０００１】
本発明は装飾や看板、玩具、インテリア等として好適な電界発光灯及びその製造方法に関し、特に任意の文字や図形のフィルムをシールのように貼り付けることにより、貼り付けた部分のみを容易に発光させることができる電界発光灯及びその製造方法に関するものである。
【背景技術】
【０００２】
透明電極と裏面電極間に交流電圧を印加して、両電極間に挟まれた発光層から出た光を透明電極を介して全面発光させる電界発光灯は、液晶ディスプレイのバックライト等に使用されている。これとは別に、キャラクタ表示を目的として任意の文字や図形を発光させる場合には、透明電極を選択的に形成する必要があり、例えば、特許第２７０８０７１号公報には、透明電極の周辺端部を絶縁して任意形状に発光させるための方法が開示されている。
【０００３】
図４は、従来の電界発光灯３０の構成を示す要部断面図である。従来の電界発光灯３０は、透明フィルム３１ａ上に蒸着、スパッタ、印刷等で透明電極３１ｂを形成した透明導電フィルム３１と、銅やハロゲンなどで活性化した硫化亜鉛などの蛍光体粒子をフッ素樹脂などのバインダに分散した発光層３２と、チタン酸バリウムなどの高誘電体材料をフッ素樹脂などのバインダに分散した反射絶縁層３３と、カ−ボンや銀などの導電ペ−ストからなる裏面電極３４と、裏面電極３４を絶縁するための裏面絶縁層３５とを順次積層印刷した構造が一般的である。
【０００４】
次に、透明電極３１ｂの周辺端部を絶縁させて必要な部分だけ発光させる手段としてトムソン刃やカッティングプロッタ等で透明電極３１ｂ側から透明フィルム３１ａ側に向けて透明導電フィルム３１をハーフカットする方法、ヒータで透明電極３１ｂの周辺端部を局部的に破壊する方法、化学的あるいは物理的エッチングにより透明電極３１ｂの周辺端部を除去する方法、機械的に削り取る等の方法が開示されており、これらの方法により透明電極３１ｂの周辺端部に非導通部３６を形成するものである。
【特許文献１】特許第２７０８０７１号公報（第２，３頁、０００６段落〜００２２段落、図１〜図４）
【発明の開示】
【発明が解決しようとする課題】
【０００５】
しかしながら、上述した従来の電界発光灯３０及びその製造方法は、透明電極３１ｂを形成したり、その周辺端部に非導通部３６を形成するために大規模な設備を要しコスト高になることや、一般の使用者が任意形状の発光を自由に得ることが困難であるという問題があった。
【０００６】
本発明は上記の問題点を解決するために考えられたもので、その目的は、装飾や看板、玩具、文具等として好適な任意の文字や図形を使用者が容易に発光させることができる安価な電界発光灯及びその製造方法を提供することである。
【課題を解決するための手段】
【０００７】
上記目的を達成するために、本発明の請求項１記載の電界発光灯は、基材フィルム上に少なくとも２つ以上に分割形成された裏面電極と、前記裏面電極上に積層形成された反射絶縁層、発光層と、前記発光層上に形成された金属フィラーや導電ポリマーを含む導電性インクまたはイオン導電性溶媒からなる透明電極と、前記透明電極上に形成された透明フィルムと粘着層からなる積層フィルムとを備えることを特徴とする。この構成によれば、任意形状の積層フィルムを貼り付けることにより透明電極の周辺端部を容易に絶縁できるので、使用者が容易に任意の文字や図形を発光させることができる。
【０００８】
また、請求項２記載の電界発光灯の製造方法は、基材フィルム上に裏面電極を分割形成する工程と、前記裏面電極上に反射絶縁層、発光層を順次形成する工程と、前記発光層の上に金属フィラーや導電ポリマーを含む導電性インクやイオン導電性溶媒からなる透明電極をハケやペンで塗布する工程と、前記透明電極上に透明フィルムと粘着層からなる積層フィルムを貼り付ける工程と、前記積層フィルムから食み出した透明電極を除去する工程とを具備することを特徴とする。この方法によれば、大規模な設備を要することなく容易に透明電極を形成したり、その周辺端部を絶縁することができるので、安価な電界発光灯が得られるとともに、使用者が容易に任意の文字や図形を発光させることができる。
【０００９】
また、請求項３記載の電界発光灯の製造方法は、基材フィルム上に裏面電極を分割形成する工程と、前記裏面電極上に反射絶縁層、発光層を順次形成する工程と、透明フィルムと粘着層からなる積層フィルムの粘着層上に金属フィラーや導電ポリマーを含む導電性インクやイオン導電性溶媒からなる透明電極をハケやペンで塗布する工程と、前記積層フィルムを透明電極を介して前記発光層上に貼り付ける工程とを具備することを特徴とする。この方法によれば、あらかじめ積層フィルム上に透明電極を形成するため、あとで透明電極を拭き取る必要がなく、使用者がさらに容易に任意の文字や図形を発光させることができる。
【発明の効果】
【００１０】
以上説明したように、本発明の電界発光灯及びその製造方法によれば、積層フィルムで透明電極を覆うことにより透明電極の周辺端部を絶縁するようにしたので、大規模な設備を要することなく安価な電界発光灯を製造できるとともに、使用者が任意の文字や図形の積層フィルムを貼り付けるだけで自由な形状を発光させることができる。また、積層フィルム上に透光性の図柄や配色、キャラクターをあらかじめ印刷しておくことにより、任意の図柄が浮き出るように発光させることができる。また、使用者が自由に貼り換えができ、発光パターンの自由度をさらに向上させることができる。
【発明を実施するための最良の形態】
【００１１】
以下、本発明の電界発光灯の好ましい実施の形態について図面を参照して説明する。図１は本発明の第１実施例の電界発光灯１０の要部断面図である。
【００１２】
図１に示すように、本発明の電界発光灯１０は、基材フィルム１上に櫛型状に分割形成された裏面電極２ａ、２ｂと、裏面電極２ａ、２ｂ全面を覆うように形成された反射絶縁層３及び発光層４と、発光層４上に使用者の好みに応じて形成された任意の文字や図形からなる透明電極５と、透明フィルム６ａに粘着層６ｂが形成された積層フィルム６により構成される。
【００１３】
次に、本発明の電界発光灯１０の製造方法について、図２の要部断面図を参照しながら説明する。先ず、図２（ａ）に示すように、ポリエチレンテレフタレート、ポリエチレン、ポリエステル、ポリイミド等からなる基材フィルム１上にカーボン、銀、銅、ニッケル等の導電性ペーストからなる裏面電極２ａ、２ｂをスクリーン印刷により、例えば櫛型状に分割形成する。次に樹脂中にチタン酸バリウム等の白色高誘電体物質を分散した反射絶縁層３、樹脂中に蛍光体を分散させた発光層４を順次、スクリーン印刷により形成する。次に、図２（ｂ）に示すように、発光層４の上に無色透明な導電性インク（例えばＩＴＯ（Indium Tin Oxide）やＡＴＯ（Antimony Tin Oxide）のような透明電極材料や導電性ポリマー（例えばポリアニリンやポリエチレンジオキシチオフェン）を溶剤中に分散させたもの）やイオン導電性溶媒（例えばイオン性界面活性剤）を含有したペンで、発光させたい部分よりも広めに描いて透明電極５を形成する。次に、図２（ｃ）に示すように、透明フィルム６ａと粘着層６ｂからなる積層フィルム６を任意形状に切り取り、粘着層６ｂを下側にして透明電極５上に貼り付ける。その後、図２（ｄ）に示すように、積層フィルム６から食み出した透明電極５をウエス等で拭き取ることにより、電界発光灯１０を得る。このとき、より簡単に拭き取るために水や有機溶剤をウェス等に染み込ませるようにしても良い。
【００１４】
次に、本発明の電界発光灯１０の動作について説明する。先ず、櫛型状に分割形成された裏面電極２ａ、２ｂに所定の交流電圧を印加すると、透明電極５を介して裏面電極２ａ、２ｂ間の発光層４に電圧が印加され、任意の文字や図形が浮き出るように発光する。
【００１５】
本実施例によれば、積層フィルム６により透明電極５を覆うことにより、透明電極５を任意の形状に絶縁することができる。これにより、大規模な設備を要することなく、使用者が極めて容易に任意の文字や図形を発光させることができる。また、透明フィルム６ａの上にキャラクターや文字、数字等を任意の色であらかじめ印刷しておくことにより発光層４の光が印刷部を透過して発色するため、多色の発光が容易に得られる。また、積層フィルム６を剥がして透明電極５を拭き取った後、再び透明電極５、積層フィルム６を形成することもできる。これにより、任意の文字や図形が何度でも書き換えでき、発光パターンの自由度が向上する。
【００１６】
また、裏面電極２ａ、２ｂはカーボン、銀、銅、ニッケル等の導電性ペーストをスクリーン印刷することにより形成したが、基材フィルム１の上にレジスト剤を選択的に印刷し、アルミ等の金属を蒸着した後レジスト層を洗浄し形成してもよく、また基材フィルム１上にアルミ等の金属を貼り付けた後に化学エッチングし形成してもよい。この場合、裏面電極２ａ、２ｂの抵抗値が低くなるため、大型化も容易となる。さらに、裏面電極２ａ、２ｂの形状は櫛型状に限定されるものではなく、電気的に分割させた電極構造であればどのような形状でもかまわない。
【００１７】
次に、本発明の他の実施の形態について図面を参照して説明する。図３は、本発明の第２実施例の電界発光灯２０の製造方法を示す要部断面図である。先ず、図３（ａ）に示すように、ポリエチレンテレフタレート、ポリエチレン、ポリエステル、ポリイミド等からなる基材フィルム１１上にカーボン、銀、銅、ニッケル等の導電性ペーストからなる裏面電極１２ａ、１２ｂをスクリーン印刷により、例えば櫛型状に分割形成する。次に樹脂中にチタン酸バリウム等の白色高誘電体物質を分散した反射絶縁層１３、樹脂中に蛍光体を分散させた発光層１４を順次、スクリーン印刷により形成する。次に、図３（ｂ）に示すように、透明フィルム１６ａと粘着層１６ｂからなる積層フィルム１６を任意形状に切り取り、粘着層１６ｂの上に無色透明な導電性インク（例えばＩＴＯ（Indium Tin Oxide）やＡＴＯ（Antimony Tin Oxide）のような透明電極材料や導電性ポリマー（例えばポリアニリンやポリエチレンジオキシチオフェン）を溶剤中に分散させたもの）やイオン導電性溶媒（例えばイオン性界面活性剤）を含有したペンで塗ることにより透明電極１５を形成する。次に、図３（ｃ）に示すように、積層フィルム１６を粘着層１６ｂ、透明電極１５を下側にして発光層１４の上に貼り付けることにより、電界発光灯２０を得る。
【００１８】
本実施例によれば、あらかじめ積層フィルム１６上に透明電極１５を形成するので、あとで透明電極１５を拭き取る手間が省け、使用者がさらに容易に任意の文字や図形を発光させることができる。
【産業上の利用可能性】
【００１９】
積層フィルムで透明電極を覆い透明電極の周辺端部を絶縁することによって、大規模な設備を要することなく安価な電界発光灯を製造できるとともに、使用者が任意の文字や図形の積層フィルムを貼り付けるだけで自由な形状を発光させることができる。
【図面の簡単な説明】
【００２０】
【図１】本発明の第１実施例の電界発光灯の要部断面図
【図２】本発明の第１実施例の電界発光灯の製造方法を説明する要部断面図
【図３】本発明の第２実施例の電界発光灯の製造方法を説明する要部断面図
【図４】従来の電界発光灯の要部断面図
【符号の説明】
【００２１】
１  基材フィルム
２ａ、２ｂ  裏面電極
３  反射絶縁層
４  発光層
５  透明電極
６  積層フィルム
６ａ  透明フィルム
６ｂ  粘着層
１０  本発明の第１実施例の電界発光灯
１１  基材フィルム
１２ａ、１２ｂ  裏面電極
１３  反射絶縁層
１４  発光層
１５  透明電極
１６  積層フィルム
１６ａ  透明フィルム
１６ｂ  粘着層
２０  本発明の第２実施例の電界発光灯
３０  従来の電界発光灯
３１  透明導電フィルム
３１ａ  透明フィルム
３１ｂ  透明電極
３２  発光層
３３  反射絶縁層
３４  裏面電極
３５  裏面絶縁層
３６  非導通部
【図１】
2005032624.tif 000003
【図２】
2005032624.tif 000004
【図３】
2005032624.tif 000005
【図４】
2005032624.tif 000006